(57)【要約】インタレースビデオをプログレッシブビデオに変換する方法（３００）は、一連の段階を含む。本発明の方法は、少なくとも１つのピクチャを表すビデオ信号を受信する段階（３１０）と、そのピクチャがプログレッシブであるか否かを判断する段階（３２０）を含む。ピクチャがプログレッシブである場合、垂直同期信号が変更されて、ピクチャの第１のフィールドとの関連付けを作成する（３４０）。従って、プログレッシブビデオ信号は、垂直同期信号に関連付けられるインタレースビデオ信号に変換することができ、インタレースビデオ信号は、垂直同期信号に行われた変更に応じてプログレッシブビデオ信号に変換することができる（３５）。
2004516756.tif 000002
【特許請求の範囲】
【請求項１】
インタレースビデオをプログレッシブビデオに変換する方法であって、
少なくとも１つのピクチャを表すビデオ信号を受信する段階と、
上記ピクチャがプログレッシブであるか否かを判断する段階と、
上記プログレッシブピクチャ判断に応答して、上記ピクチャの第１のフィールドを識別するよう垂直同期信号を変更する段階と、
上記変更段階に応答して、上記ビデオ信号を処理する段階とを含む方法。
【請求項２】
上記処理段階は、
上記プログレッシブビデオ信号を、上記垂直同期信号を有するインタレースビデオ信号に変換する段階を含む請求項１記載の方法。
【請求項３】
上記処理段階は、
上記垂直同期信号を有する上記インタレースビデオ信号を、上記変更された垂直同期信号に応じて、プログレッシブビデオ信号に変換する段階を含む請求項２記載の方法。
【請求項４】
上記プログレッシブビデオ信号を、反射型液晶（リクイッド・クリスタル・オン・シリコン）イメージャに供給する段階を更に含む請求項３記載の方法。
【請求項５】
上記プログレッシブビデオ信号を、反射型液晶（リクイッド・クリスタル・オン・シリコン）イメージャを有する高解像度テレビ受像機に供給する段階を更に含む請求項３記載の方法。
【請求項６】
上記垂直同期信号は、パルス信号であり、
上記垂直同期信号を変更する段階は、上記垂直同期信号のパルス幅を選択的に変調する段階を含む請求項１記載の方法。
【請求項７】
上記垂直同期信号を変更する段階は、上記垂直同期信号を表すパルス幅変調された信号のパルス幅を増加する段階を含む請求項１記載の方法。
【請求項８】
上記垂直同期信号を変更する段階は、垂直同期信号のパルス幅を減少する段階を含む請求項１記載の方法。
【請求項９】
上記ピクチャは、上記垂直同期信号によって識別される第２のフィールドを更に含み、
上記垂直同期信号の幅は、変更されず、第２のフィールドに対応する請求項６記載の方法。
【請求項１０】
上記ビデオ信号は、デジタルビデオデータストリームである請求項１記載の方法。
【請求項１１】
上記判断段階は、
上記受信したビデオデータストリーム内のヘッダ情報を構文解析する段階を含む請求項１０記載の方法。
【請求項１２】
上記識別段階は、
上記受信したビデオデータストリーム内のヘッダ情報を構文解析する段階を含む請求項１０記載の方法。
【請求項１３】
上記ビデオ信号は、ムービング・ピクチャ・エキスパーツ・グループ（ＭＥＰＧ）ビデオデータストリームである請求項１記載の方法。
【請求項１４】
上記ビデオ信号は、ムービング・ピクチャ・エキスパーツ・グループ（ＭＥＰＧ）２ビデオデータストリームである請求項１記載の方法。
【請求項１５】
インタレースビデオをプログレッシブビデオに変換する方法であって、
少なくとも１つのピクチャを表すムービング・ピクチャ・エキスパーツ・グループ（ＭＥＰＧ）２ビデオデータストリームを受信する段階と、
上記ピクチャがプログレッシブであるか否かを判断する段階と、
上記ピクチャのプログレッシブ判断に応じて、上記ピクチャの第１のフィールドを識別する段階と、
上記第１のフィールドに関連付けられる垂直同期信号の幅を選択的に変調する段階と、
上記ＭＥＰＧ２ビデオデータストリームを、上記選択的にパルス幅変調された垂直同期信号を有するインタレースビデオ信号に変換する段階と、
上記インタレースビデオ信号を、上記選択的に変調された垂直同期信号幅に応じて、プログレッシブ信号に変換する段階とを含む方法。
【請求項１６】
インタレースビデオをプログレッシブビデオに変換するシステムであって、
少なくとも部分的に、ピクチャの第１のフィールドを特定する、ムービング・ピクチャ・エキスパーツ・グループ（ＭＥＰＧ）２ビデオデータストリームを復号化してインタレースビデオ信号を生成し、且つ、上記第１のフィールドを識別するよう選択的に幅変調された垂直同期信号を生成するデコーダと、
上記インタレースビデオ信号を、上記選択的に幅変調された垂直同期信号に応じて、プログレッシブビデオ信号に変換するデインタレーサと、
上記デコーダ及び上記デインタレーサを調整するプロセッサとを含むシステム。
【請求項１７】
上記プログレッシブビデオ信号を表示する反射型液晶（リクイッド・クリスタル・オン・シリコン）イメージャを更に含む請求項１６記載のシステム。
【請求項１８】
上記プログレッシブビデオ信号を表示する反射型液晶（リクイッド・クリスタル・オン・シリコン）イメージャを有する高解像度テレビ受像機を更に含む請求項１６記載のシステム。
【請求項１９】
インタレースビデオをプログレッシブビデオに変換する方法であって、
少なくとも１つのピクチャを表すビデオ信号を受信する段階と、
上記ピクチャがプログレッシブであるか否かを判断する段階と、
上記ピクチャがプログレッシブである場合に、上記ピクチャの第１のフィールドに関連付けられる垂直同期信号を変更する段階と、
上記ビデオ信号を、上記垂直同期信号に関連付けられるインタレースビデオ信号に変換し、更に、上記インタレースビデオ信号を、上記変更された垂直同期信号に応じて、プログレッシブビデオ信号に変換する段階とを含む方法。
【請求項２０】
インタレースビデオをプログレッシブビデオに変換する際の発生をシグナリングする方法であって、
少なくとも１つのピクチャを表すビデオ信号を受信する段階と、
上記ビデオ信号内においてプログレッシブピクチャの発生を識別する段階と、
上記プログレッシブピクチャの判断に応答して上記ピクチャの第１のフィールドにマークを付けるために垂直同期パルス継続時間を変更する段階と、
上記変更段階に応じて、プログレッシブビデオ信号を形成するよう上記ビデオ信号を処理する段階とを含む方法。
【発明の詳細な説明】
【０００１】
発明の背景
［技術分野］
本発明は、ムービング・ピクチャ・エキスパーツ・グループ（ＭＰＥＧ）画像の復号化の分野に係り、より詳細には、インタレースビデオをプログレッシッブビデオに変換するのに使用するために、デコーダハードウェアから外部装置に、ＭＥＰＧビデオシーケンスを復号化するのに用いた情報を伝送する方法及びシステムに係る。
【０００２】
［関連技術の説明］
デインタレーサが、ムービング・ピクチャ・エキスパート・グループ（ＭＰＥＧ）復号化信号に対し動作している場合、デインタレーサは、プログレッシブピクチャの完全なデインタレースを行うことができる。しかし、どのフィールドからピクチャが始まるのかを知っていなければならない。インタレースビデオをプログレッシブビデオに適切に変換するには、この情報は、ＭＥＰＧデコーダからデインタレースユニットに伝送される方法を必要とする。
【０００３】
従来、デインタレーサは、この情報を用いなかった。或いは、デインタレーサが、ＭＰＥＧデコーダと同じ集積回路内にある場合、この情報は、デインタレーサに供給される必要がなかった。
【０００４】
デインタレーサが、どのフィールドからピクチャが始まるのかを独立して判断することを可能にする試みが成されてきた。例えば、一部のデインタレーサは、ビデオ信号画素を分析して、この情報を判断することを試みる。しかし、この分析は複雑であり、エラーを発生し易い。従って、上述した欠点を解決するデインタレーサ及び方法が必要である。
【０００５】
［発明の概要］
本願に開示する本発明は、インタレースビデオをプログレッシブビデオに変換するのに使用する情報を伝送する方法及びシステムを提供する。特に、プログレッシブピクチャが、ムービング・ピクチャ・エキスパーツ・グループ（ＭＥＰＧ）デコーダ内で復号化される場合、垂直同期信号は、選択的にパルス幅が変調されて、いつ、プログレッシブピクチャの第１のフィールドが送信されたのかを、デインタレーサに指示することができる。
【０００６】
本発明の１つの面は、インタレースビデオをプログレッシブビデオに変換する方法を含むことができる。この方法は、少なくとも１つのピクチャを表すビデオ信号を受信する段階と、このピクチャがプログレッシブであるか否かを判断する段階を含む。ピクチャがプログレッシブである場合、ピクチャの第１のフィールドに関連付けられる垂直同期信号を変更することができる。ビデオ信号の更なる処理は、垂直同期信号の変更に応答して行われることが可能である。更なる処理には、ビデオ信号を、垂直同期信号に関連付けられるインタレースビデオ信号に変換する段階と、そのインタレースビデオ信号を、垂直同期信号に行われた変更に応答して、プログレッシブビデオ信号に変換する段階を含む。
【０００７】
本発明の別の実施例は、インタレースビデオをプログレッシブビデオに変換する方法であってよく、ここでは、ＭＰＥＧ２ビデオデータストリームを受信することができる。ＭＥＰＧ２ビデオデータストリームは、少なくとも１つのピクチャを含むことが可能である。本発明の方法は、このピクチャがプログレッシブであるか否かを判断する段階を含むことが可能である。ピクチャがプログレッシブである場合、ピクチャの第１のフィールドを変更することが可能である。垂直同期信号は、選択的にパルス幅変調されて、第１のフィールドに関連付けられる識別子を作成する。ＭＥＰＧ２ビデオデータストリームは、インタレースビデオ信号に変換することができ、このインタレースビデオ信号は、選択的にパルス幅変調された信号に行われた変更に応じて、プログレッシブ信号に変換されることが可能である。
【０００８】
本発明の更なる面は、インタレースビデオをプログレッシブビデオに変換するシステムを含むことが可能である。このシステムは、受信したＭＰＥＧ２ビデオデータストリームをインタレースビデオ信号に変換することのできるデコーダを含む。ＭＰＥＧ２ビデオデータストリームは、１つのピクチャの少なくとも第１のフィールドを特定することができる。デコーダは更に、第１のフィールドを識別するために選択的にパルス幅変調される垂直同期信号を生成することができる。インタレースビデオ信号を、選択的にパルス幅変調された垂直同期信号に基づいて、プログレッシブビデオ信号に変換することのできるデインタレーサも含むことが可能である。
【０００９】
更に、システムは、デコーダとデインタレーサを調整するプロセッサを含むことが可能である。
【００１０】
［詳細な説明］
本願に開示する発明は、インタレースビデオをプログレッシブビデオに変換するのに使用する情報を伝送する方法及びシステムを提供する。より具体的には、本発明は、インタレースビデオをプログレッシブビデオに変換するのに使用するために、ムービング・ピクチャ・エキスパーツ・グループ（ＭＰＥＧ）ビデオシーケンスを復号化する際に得られた情報の、デコーダハードウェアから外部の装置への伝送を提供する。この方法は、反射型液晶（ＬＣＯＳ）イメージャを有する高解像度テレビ（ＨＤＴＶ）受像機に実施されることが可能である。
【００１１】
１つの実施例では、垂直同期（ｖｅｒｔｉｃａｌ ｓｙｎｃ）信号のパルス幅を変更して、プログレッシブピクチャの第１のフィールドが送信されたことを示すことが可能である。例えば、デインタレーサが、どのフィールドからピクチャが始まるのかを独立して判断するのではなくて、垂直同期信号のパルス幅を、ＭＰＥＧデコーダにより変更することが可能である。逆に言えば、垂直同期信号のパルス幅が変更していない場合は、送信されたフィールドは、プログレッシブピクチャの第１のフィールドではないということである。
【００１２】
図１は、本願に開示する本発明の装置により、インタレースからプログレッシブへの走査変換を行う例示的な走査変換システム１００を示すブロック図である。図１に示すように、走査変換システム１００は、ビデオプロセッサ１４０に動作上接続されるデコーダ１１０を含むことが可能である。例えば、デコーダ１１０は、ＭＰＥＧ２ビデオデコーダモジュールであってよく、ビデオプロセッサ１４０は、インタレース又はプログレッシブビデオプロセッサであってよい。
【００１３】
インタレースビデオデータストリームを、走査変換システム１００に供給することができる。デコーダ１１０は、受信したデータストリームを処理して、アナログビデオ成分信号１３０及び同期信号１２０を出力することができる。同期信号１２０は、水平同期信号及び垂直同期信号を含むことができる。特に、垂直同期信号は、パルス継続時間Ｔを有するパルス信号であってよい。垂直同期信号は、デコーダによって変更されて、ピクチャの第１のフィールドの始まりをマークするインジケータを含むことが可能である。例えば、パルス継続時間Ｔを、ピクチャの第１のフィールドに対応して変更することが可能である。結果として得られる信号１２０、１３０は、ビデオプロセッサ１４０に供給され、インタレースビデオ信号から、プログレッシブビデオ信号に変換される。ビデオ信号の変換の後に、結果として得られるプログレッシブビデオ信号は、イメージャ１５０に供給されることが可能である。尚、イメージャは、ＨＤＴＶ受像機と一緒に使用するＬＣＯＳイメージャであってよい。
【００１４】
図２Ａは、インタレースからプログレッシブへの走査変換を行うもう１つの例示的な走査変換システム２００を示すブロック図である。図２Ａに示すように、走査変換システム２００は、ＭＥＰＧ２ビデオデコーダモジュール（ＭＰＥＧデコーダ）２１０、インタレース又はプログレッシブビデオ処理システム（デインタレーサ）２２０、及び、プロセッサ２５０を含むことが可能である。ＭＥＧＰデコーダ２１０は、ＭＥＰＧ２データストリームを、ビデオ信号に変換することができる。デインタレーサ２２０は、インタレースビデオ信号を受信し、その信号を、プログレッシブビデオ信号に変換することができる。プロセッサ２０５は、ＭＥＰＧデコーダ２１０と、デインタレーサ２２０の動作を調整することができる。上述した各構成要素は、適切なデータ接続、例えば、データ通信バス、又は、他の接続回路を介して通信可能にリンクされることが可能である。
【００１５】
図２Ａに示すように、ＭＰＥＧ２データストリームは、デコーダ２１０によって受信可能である。ＭＥＰＧデコーダ２１０は、受信したデータストリームを処理して、出力を生成することができる。ＭＥＰＧデコーダ２１０の出力は、インタレース信号として送信される、アナログ成分ビデオ信号と、水平同期信号、及び、垂直同期信号を含む。３つのビデオ信号がデジタル信号に変換されて、２つの同期信号と共に、デインタレーサ２２０に送信されることが可能である。
【００１６】
ＭＰＥＧピクチャヘッダビットを、構文解析して、そのピクチャが、プログレッシブであるか、又は、非プログレッシブであるかを判断することが可能である。ヘッダビットが、プログレッシブピクチャを示す場合、このピクチャの第１のフィールドを開始する垂直同期パルスは、本発明の装置によって有利に変調され、それにより、第１のフィールドに対応する垂直同期パルスのパルス幅Ｔが、ＭＥＰＧデコーダ２１０により短くされる。或いは、パルス幅を増加することもできる。どのような場合においても、図２Ｂに示す垂直同期パルスの前縁ａのタイミングは、第１のフィールドを示すために有利に位置的に変調されるパルスの後端ｂを有する垂直同期の適切なタイミングを保証するよう維持される。ＭＰＥＧデコーダ２１０は、プロセッサ２０５の制御下で動作する。更に、ＭＥＰＧデコーダ２１０は、必要である場合には、垂直同期パルスの幅を、同期パルス毎に変更することが可能である。プログレッシブピクチャの第１のフィールドではないフィールドに直接先行する、又は、対応する垂直同期パルスに対しては、パルス幅は、通常に戻され得る。通常のパルス幅は、各同期パルスの非プログレッシブピクチャに対応するパルスの幅であり得る。
【００１７】
図２Ｂは、通常の垂直同期（Ｖ同期）信号と、本発明の装置に従い有利に変更された垂直同期パルスとの、パルス幅、パルス継続時間、又は、後端位置差を示す。図２Ｂにおいて、パルス幅、継続時間、又は、後端ｂは、前縁ａの後に、時間間隔（Ｔ−Δｔ）が経過した後に起こるものとして示す。このようにして、垂直同期パルス（Ｖ同期）の継続時間が短くなり、プログレッシブ、又は、フィルムフレームの第１のフィールドの発生を、デインタレース回路に示す。本発明の装置は、図示するように変更されたＶ同期信号の発生及び使用のみを検討するのではなく、好適には自動的に、必要に応じて、通常のＶ同期信号と、変更されたＶ同期信号間で変化する容量を検討する。
【００１８】
図３は、インタレースビデオをプログレッシブビデオに変換するのに使用する情報の伝送の例示的な方法を示すフローチャート３００である。この方法は、段階３１０にて始まる。段階３１０では、ピクチャを含むビデオ信号を受信することができる。段階３２０にて、受信したビデオ信号を分析して、内部に含まれるピクチャが、プログレッシブピクチャであるか否かを判断する。ピクチャの画素を分析することにより、そのような情報を明らかにすることができる。ＭＰＥＧ、又は、ＭＥＰＧ２データストリームに関し、この判断は、ＭＰＥＧヘッダ情報を構文解析することにより行われ得る。ピクチャが非プログレッシブである場合、方法は、非プログレッシブピクチャを処理するための並列処理パス（図示せず）に分岐することが可能である。しかし、受信したピクチャがプログレッシブである場合、方法は、段階３３０に進む。
【００１９】
段階３３０において、受信したピクチャは、プログレッシブピクチャであると判断されている。従って、受信したフレームのどのフィールドを第１に表示するべきであるかに関し判断する。ここでも、ＭＥＰＧビデオデータストリームが受信される場合、この判断は、ＭＰＥＧヘッダ情報を構文解析することにより行うことができる。段階３４０において、垂直同期信号は、本願に開示する本発明の装置により変更することが可能である。より具体的には、ピクチャの第１のフィールドに対応するパルスの幅は、第１のフィールドを識別するために短くされることが可能である。変更されたパルス幅は、第１のフィールドの始まりを示すことができる。しかし、当業者は、垂直同期信号は、パルス幅が増加するよう又は減少するようパルス幅変調することが可能であることを認識するものとする。いずれにせよ、パルスの前縁のタイミングは維持される。
【００２０】
段階３５０において、受信したフレームの第１のフィールドを、例えば、インタレース、又は、プログレッシブビデオプロセッサに供給することができる。段階３６０において、垂直同期信号のパルス幅が通常に戻される。変更していない又は通常のパルス幅は、フレームの第２の（或いは後続の）フィールドが来ていることを示す。従って、段階３７０において、フレームの第２のフィールドが供給される。段階３７０を完成した後、方法は、段階３８０に続く。
【００２１】
段階３８０において、段階３７０において供給されたフィールドが、フレームの最後のフィールドであるか否かに関して判断が行われる。最後のフィールドである場合、方法は、段階３１０に進み、必要に応じて繰り返され、更なるビデオ信号を処理する。フレームの最後のフィールドでない場合、方法は、段階３６０に進み、ここでは、垂直同期信号のパルス幅は、変更されないままで、フレームの別のフィールドを供給することが可能である。この方法は、フレームの各フィールドが供給されるまで必要に応じて、段階３６０、段階３７０、及び、段階３８０を繰り返すことができる。
【００２２】
本願に開示する本発明の装置では、結果として得られるプログレッシブビデオ信号を、出力装置に供給することができる。例えば、結果として得られるプログレッシブビデオ信号は、ＬＣＯＳディスプレイを有するＨＤＴＶに供給されることが可能である。本願に開示する本発明は、本発明の目的又は必要不可欠な属性から逸脱することなく、他の特定の形式で具現化することが可能である。従って、上述の明細書の説明ではなくて、特許請求の範囲を参照すべきである。
【図面の簡単な説明】
【図１】
インタレースからプログレッシブへの走査変換を行う例示的なシステムを示すブロック図である。
【図２Ａ】
インタレースからプログレッシブへの走査変換を行う別の例示的なシステムを示すブロック図である。
【図２Ｂ】
フィールド識別を与えるための垂直同期パルス幅の本発明による変更を説明する図である。
【図３】
インタレースビデオをプログレッシブビデオに変換するのに使用する情報を伝送する例示的な方法を説明するフローチャートである。
【図１】
2004516756.tif 000003
【図２Ａ】
2004516756.tif 000004
【図２Ｂ】
2004516756.tif 000005
【図３】
2004516756.tif 000006
【国際公開パンフレット】
2004516756.tif 000007
2004516756.tif 000008
2004516756.tif 000009
2004516756.tif 000010
2004516756.tif 000011
2004516756.tif 000012
2004516756.tif 000013
2004516756.tif 000014
2004516756.tif 000015
2004516756.tif 000016
2004516756.tif 000017
2004516756.tif 000018
2004516756.tif 000019
2004516756.tif 000020
2004516756.tif 000021
2004516756.tif 000022
【国際調査報告】
2004516756.tif 000023